(57)【特許請求の範囲】
【請求項１】
内視鏡挿入部と、
視差方向に交差する方向に光軸が配置され、前記視差方向に互いに離間して配置された第１の光学系および第２の光学系を有し、前記内視鏡挿入部の先端に配置されるステレオ光学系と、
前記先端に配置され、前記第１の光学系および前記第２の光学系の結像位置に配置された受光面を有し、前記第１の光学系を介して前記受光面に結像された第１の光学像と、前記第２の光学系を介して前記受光面に結像された第２の光学像との少なくとも一方から撮像信号を生成する撮像素子と、
前記撮像信号に基づいて、前記第１の光学像に対応する第１の画像および前記第２の光学像に対応する第２の画像のうち、一方の画像に関する映像信号を生成する映像信号処理部と、
前記映像信号が入力されることで、前記一方の画像が表示される表示部と、を有する内視鏡装置において、
前記表示部に表示される前記一方の画像の輝度情報を検出するとともに、検出された前記輝度情報が所定の閾値よりも高い場合に、前記表示部に表示する画像を前記一方の画像から、他方の光学像に対応する他方の画像に切り替える表示切替処理を実行する表示切替部を有することを特徴とする内視鏡装置。
【請求項２】
さらに、前記第１の光学系を通る光路を遮る第１の位置と、前記第２の光学系を通る光路を遮る第２の位置とに対して択一的に遮蔽部を配置することで、いずれか一方の光路を遮る光路遮断部を有し、
前記表示切替部は、前記一方の画像から前記他方の画像に切り替える場合、前記遮蔽部の配置位置を現在の位置から他方の位置へ切り替えることを特徴とする請求項１に記載の内視鏡装置。
【請求項３】
前記表示切替部は、前記一方の画像を複数の画像領域に分割し、前記複数の画像領域毎に前記輝度情報を検出することを特徴とする請求項１に記載の内視鏡装置。
【請求項４】
前記表示切替部は、前記所定の閾値よりも高い前記輝度情報が検出された画像領域を計数し、
計数値が所定の閾値を超える場合に、前記表示部に表示する画像を、前記一方の画像から、前記他方の光学像に対応する他方の画像に切り替えることを特徴とする請求項３に記載の内視鏡装置。
【請求項５】
さらに、前記表示切替処理のトリガー情報を出力する表示切替判断部を有し、
前記表示切替部は、前記表示切替判断部からの前記トリガー情報に基づいて、前記表示切替処理を実行することを特徴とする請求項１に記載の内視鏡装置。
【請求項６】
前記表示切替判断部は、検査者による静止画表示処理を検出した場合、前記トリガー情報を出力することを特徴とする請求項５に記載の内視鏡装置。
【請求項７】
前記表示切替判断部は、前記撮像信号あるいは前記映像信号に基づいて、被写体のぶれ量を検出し、当該ぶれ量が所定の閾値よりも小さいと判断した場合、前記トリガー情報を出力することを特徴とする請求項５に記載の内視鏡装置。
【請求項８】
前記表示切替判断部は、検査者による湾曲ロック操作指示を検出した場合、前記トリガー情報を出力することを特徴とする請求項５に記載の内視鏡装置。
【請求項９】
さらに、前記表示部の表示領域に対して、前記一方の画像と前記他方の画像とを表示する位置を制御する表示制御部を有し、
前記表示制御部は、前記一方の画像と前記他方の画像とに共通で表示される被写体部位が、前記一方の画像が表示されるときと前記他方の画像が表示されるときとで、前記表示部の表示領域において同じ位置に表示されるように、各画像の表示位置を制御することを特徴とする請求項１に記載の内視鏡装置。
【請求項１０】
前記表示制御部は、前記被写体部位が、前記表示部の表示領域の中央に表示されるように、各画像の表示位置を制御することを特徴とする請求項９に記載の内視鏡装置。
【請求項１１】
前記表示制御部は、前記第１の光学系および前記第２の光学系の光学特性に基づいて、各画像の表示位置を制御することを特徴とする請求項９に記載の内視鏡装置。
【請求項１２】
さらに、被写体との物体距離を測定する測定部を有し、
前記表示制御部は、前記測定部によって測定された物体距離に基づいて、各画像の表示位置を制御することを特徴とする請求項９に記載の内視鏡装置。
【請求項１３】
前記表示制御部は、前記表示部の前記表示領域の全面に前記一方の画像を表示させた場合の前記被写体部位の表示位置と、前記表示領域の全面に前記他方の画像を表示させた場合の前記被写体部位の表示位置との距離に対して、前記表示部の前記表示領域の一部に前記一方の画像を表示させた場合の前記被写体部位の表示位置と、前記表示領域の一部とは異なる表示位置に前記他方の画像を表示させた場合の前記被写体部位の表示位置との距離が小さくなるように、各画像を表示することを特徴とする請求項１０に記載の内視鏡装置。
【発明の詳細な説明】
【技術分野】
【０００１】  本発明は、左右２つの互いに視差を有する観察光学系を備えた内視鏡装置に関するものである。
【背景技術】
【０００２】  近年、被検体内に挿入される挿入機器、例えば内視鏡は、医療分野及び工業用分野において広く利用されている。医療分野において用いられる内視鏡は、細長い挿入部を被検体となる体腔内に挿入することによって、体腔内の観察、必要に応じて内視鏡が具備する処置具の挿通チャンネル内に挿入した処置具を用いて各種処置等をすることができる。【０００３】  また、工業用分野において用いられる内視鏡は、内視鏡の細長い挿入部をジェットエンジン内、工場の配管等の被検体内に挿入することによって、被検体内の被検部位の傷及び腐食等の観察、各種処置、検査等を行うことができる。【０００４】  また、近年の工業用内視鏡においては、内視鏡の先端部に左右２つの互いに視差を有する観察光学系を備え、左右２つの観察光学系からの観察画像を用いて、三角測量の原理で被写体の様々な空間特性を計測（ステレオ計測）する内視鏡装置が用いられている。例えば、日本国特開２００４−１８７７１１号公報には、観察画像内に発生するハレーションの影響を低減させて、検査者にとって観察しやすい観察画像を表示させるステレオ計測可能な内視鏡装置が開示されている。【０００５】  この日本国特開２００４−１８７７１１号公報に開示されている内視鏡装置は、観察画像内にハレーションが発生しているか否かを判別し、ハレーションが発生している場合、その観察画像に対して画像処理を行う。具体的には、この内視鏡装置は、ハレーションが発生している部分を塗りつぶす、カットする、あるいは、文字情報を表示することでマスク処理を行うようにしている。【０００６】  これにより、日本国特開２００４−１８７７１１号公報の内視鏡装置は、ハレーションが発生している表示部分を表示画面から排除することで、検査者が観察画像に対して感じる目障りさを低減することができる。【０００７】  しかしながら、日本国特開２００４−１８７７１１号公報の内視鏡装置は、ハレーションが発生している表示部分を表示画面から排除するため、被写体の一部または全部が欠落した画像が表示部に表示されることになり、観察画像の視認性の低下を招くという問題がある。【０００８】  そこで、本発明は、ハレーション発生による観察画像の視認性の低下を抑制することができる内視鏡装置を提供することを目的とする。
【発明の開示】
【課題を解決するための手段】
【０００９】  本発明の一態様の内視鏡装置は、内視鏡挿入部と、視差方向に交差する方向に光軸が配置され、前記視差方向に互いに離間して配置された第１の光学系および第２の光学系を有し、前記内視鏡挿入部の先端に配置されるステレオ光学系と、前記先端に配置され、前記第１の光学系および前記第２の光学系の結像位置に配置された受光面を有し、前記第１の光学系を介して前記受光面に結像された第１の光学像と、前記第２の光学系を介して前記受光面に結像された第２の光学像との少なくとも一方から撮像信号を生成する撮像素子と、前記撮像信号に基づいて、前記第１の光学像に対応する第１の画像および前記第２の光学像に対応する第２の画像のうち、一方の画像に関する映像信号を生成する映像信号処理部と、前記映像信号が入力されることで、前記一方の画像が表示される表示部と、を有する内視鏡装置において、前記表示部に表示される前記一方の画像の輝度情報を検出するとともに、検出された前記輝度情報が所定の閾値よりも高い場合に、前記表示部に表示する画像を前記一方の画像から、他方の光学像に対応する他方の画像に切り替える表示切替処理を実行する表示切替部を有する。
【図面の簡単な説明】
【００１０】
【図１】第１の実施形態に係る内視鏡装置の構成を示す構成図である。
【図２】光学アダプタ、先端部、及び、装置本体の構成を説明するための図である。
【図３】被写体と左眼光学系及び右眼光学系の観察範囲との関係を説明するための図である。
【図４】左眼光学系により取得され、表示部に表示される表示画像の一例を示す図である。
【図５】右眼光学系により取得され、表示部に表示される表示画像の一例を示す図である。
【図６】図６は、表示画像のエリアを分割した一例を説明するための図である。
【図７】左眼の画像を表示した際の表示部の一例を示す図である。
【図８】右眼の画像を表示した際の表示部の一例を示す図である。
【図９】光路切り替え判断の処理の流れの一例を説明するためのフローチャートである。
【図１０】左右眼の画像を切り替える表示切替処理の流れの一例を説明するためのフローチャートである。
【図１１】光学アダプタの変更時の表示画像の切替処理の一例を説明するためのフローチャートである。
【図１２】物体距離による表示画像の切替処理の一例を説明するためのフローチャートである。
【発明を実施するための最良の形態】
【００１１】  以下、図面を参照して本発明の実施形態について詳細に説明する。【００１２】（第１の実施形態）  図１は、第１の実施形態に係る内視鏡装置の構成を示す構成図である。【００１３】  図１に示すように、内視鏡装置１は、ビデオプロセッサ等の機能を備えた装置本体２と、装置本体２に接続される内視鏡３とを有して構成されている。装置本体２は、内視鏡画像、操作メニュー等が表示される、例えば液晶パネル（ＬＣＤ）等の表示部４を有する。この表示部４には、タッチパネルが設けられていてもよい。【００１４】  内視鏡３は、被検体内に挿入される内視鏡挿入部としての挿入部５と、挿入部５の基端に連設された操作部６と、操作部６から延出したユニバーサルコード７とを有して構成されている。内視鏡３は、ユニバーサルコード７を介して装置本体２と着脱可能になっている。【００１５】  挿入部５は、先端側から順に、先端部１１と、先端部１１の基端に連設された、例えば上下左右方向に湾曲自在に構成された湾曲部１２と、湾曲部１２に基端に連設された、可撓性を有する長尺な可撓部１３とを有して構成されている。【００１６】  挿入部５の先端部１１には、例えばＣＣＤセンサまたはＣＭＯＳセンサ等の撮像素子２２（図２参照）が内蔵されている。また、先端部１１には、内視鏡用光学アダプタである光学アダプタ１０が取り付け可能になっている。なお、光学アダプタ１０は、複数種類存在するもので、内視鏡３の先端部１１に装着する種類に応じて、接写、広角、拡大（望遠）等の視野角の変更、直視、側視、斜視等の観察方向の変更等、種々の光学特性を変えることが可能となっている。【００１７】  操作部６には、湾曲部１２を上下左右方向に湾曲させる湾曲ジョイスティック６ａが設けられている。ユーザは、湾曲ジョイスティック６ａを傾倒操作することで、湾曲部１２を所望の方向に湾曲させることができる。また、操作部６には、湾曲ジョイスティック６ａの他に、内視鏡機能を指示するボタン類、例えば、フリーズボタン、湾曲ロックボタン、記録指示ボタン等の各種操作ボタンが設けられている。なお、表示部４にタッチパネルが設けられている構成の場合、ユーザは、タッチパネルを操作して、内視鏡装置１の種々の操作を指示することもできる。【００１８】  装置本体２の表示部４には、先端部１１内に設けられた撮像ユニットの撮像素子２２によって撮像された内視鏡画像が表示される。また、装置本体２の内部には、画像処理や各種制御を行う制御部３０（図２参照）、処理画像を記録する記録装置等の各種回路が設けられている。【００１９】  ここで、光学アダプタ１０、先端部１１、及び、装置本体２の詳細な構成について、図２を用いて説明する。図２は、光学アダプタ、先端部、及び、装置本体の構成を説明するための図である。【００２０】  図２に示すように、光学アダプタ１０は、左右２つの観察光学系（第１の光学系及び第２の光学系）により構成されるステレオ光学系１０ａと、メカシャッタ１４と、コイル１５とを備える。ステレオ光学系１０ａは、視差方向に交差する方向に光軸が配置され、視差方向に互いに離間して配置された左眼光学系１０Ｌと、右眼光学系１０Ｒとを有して構成されている。コイル１５は、光学アダ���タ１０が先端部１１に装着された際に、制御線２３を介して装置本体２の制御部３０に接続される。なお、光学アダプタ１０が先端部１１に装着されない構成の場合、挿入部５の先端部１１が左眼光学系１０Ｌ、右眼光学系１０Ｒ、メカシャッタ１４及びコイル１５を有していればよい。このように、左眼光学系１０Ｌ、右眼光学系１０Ｒ、メカシャッタ１４及びコイル１５が内視鏡３の挿入部５の先端（光学アダプタ１０または先端部１１）に配置されている。【００２１】  先端部１１は、観察光学系２１と、撮像素子２２と有して構成されている。撮像素子２２は、撮像信号線２４を介して装置本体２の映像信号処理部３１に接続されている。【００２２】  装置本体２は、制御部３０と、映像信号処理部３１と、光源部３２と、光源制御部３３とを有して構成されている。映像信号処理部３１は、輝度算出部３４と、ハレーション検知部３５と、エッジ検出部３６と、表示制御部３７と、動き検出部３８と、物体距離算出部３９とを有して構成されている。また、装置本体２、内視鏡３及び光学アダプタ１０内には、ライトガイド２５が挿通されている。【００２３】  光源部３２は、例えばキセノンランプ、ＬＥＤ、レーザーダイオード等であり、ライトガイド２５の基端面に対向して配置されている。光源部３２は、光源制御部３３による制御によって駆動し、ライトガイド２５の基端面に照明光を入射する。ライトガイド２５の基端面に入射された照明光は、光学アダプタ１０の先端面から出射され、被写体Ｓに照明光が照射される。なお、光源部３２は、装置本体２に設けられているが、例えば、内視鏡３の操作部６内に設けられていてもよい。【００２４】  光学アダプタ１０の左眼光学系１０Ｌ及び右眼光学系１０Ｒと観察光学系２１とは、照明光が照射された被写体Ｓからの戻り光を撮像素子２２に入射させるように設計されている。なお、図２の例では、先端部１１に１つの観察光学系２１が設けられているが、先端部１１に複数の観察光学系を設け、光学アダプタ１０の左眼光学系１０Ｌ及び右眼光学系１０Ｒと、先端部１１の複数の観察光学系とを介して、被写体Ｓからの戻り光を撮像素子２２に入射させるようにしてもよい。【００２５】  メカシャッタ１４は、左眼光学系１０Ｌを通る光路を遮る第１の位置と、右眼光学系１０Ｒを通る光路を遮る第２の位置とに対して択一的に配置される。図２の例では、メカシャッタ１４は、右眼光学系１０Ｒと撮像素子２２との間の第２の位置に位置しているため、右眼光学系１０Ｒからの光を遮光し、左眼光学系１０Ｌからの光が撮像素子２２に入射される状態となっている。【００２６】  ユーザは、メカシャッタ１４の位置を切り替える場合、装置本体２に接続されている操作部６を操作することで、操作信号（切替信号）が制御部３０に入力される。なお、メカシャッタ１４の位置の切り替えは、装置本体２の表示部４のタッチパネル等を用いて行ってもよい。【００２７】  制御部３０は、操作部６から操作信号が入力されると、制御線２３を介してコイル１５に電流を流すことでコイル１５に磁界を発生させる。メカシャッタ１４には図示しない磁石が設けられている。そして、コイル１５に磁界が発生すると、メカシャッタ１４は、磁力によりコ��ル１５に近づく状態となり、左眼光学系１０Ｌと撮像素子２２との間の第１の位置に位置する。これにより、左眼光学系１０Ｌからの光が遮光され、右眼光学系１０Ｒからの光が撮像素子２２に入射される状態となる。【００２８】  制御部３０は、操作信号に応じて制御線２３を介してコイル１５への電流の供給を停止すると、コイル１５に磁界が発生しない状態となる。これにより、メカシャッタ１４は、元の位置である第２の位置、すなわち右眼光学系１０Ｒと撮像素子２２との間に移動する。このように、コイル１５は、遮蔽部であるメカシャッタ１４を左眼光学系１０Ｌを通る光路を遮る第１の位置と、右眼光学系１０Ｒを通る光路を遮る第２の位置とに対して択一的に配置して、いずれか一方の光路を遮る光路遮断部を構成する。【００２９】  撮像素子２２は、左眼光学系１０Ｌ及び右眼光学系１０Ｒと観察光学系２１との結像位置に配置された受光面を有し、左眼光学系１０Ｌ及び観察光学系２１を介して受光面に結像された光学像と、右眼光学系１０Ｒ及び観察光学系２１を介して受光面に結像された光学像との少なくとも一方から撮像信号を生成する。撮像素子２２により生成された撮像信号は、撮像信号線２４を介して装置本体２の映像信号処理部３１に入力される。【００３０】  映像信号処理部３１は、入力された撮像信号に基づいて、左眼光学系１０Ｌに対応する画像及び右眼光学系１０Ｒに対応する画像のうち、一方の画像に関する映像信号を生成する。生成された映像信号は、表示部４に入力される。表示部４は、映像信号が入力されることで、左眼光学系１０Ｌに対応する画像及び右眼光学系１０Ｒに対応する画像のうち、一方の画像を表示する。【００３１】  次に、表示部４に表示される表示画像の一例について説明する。図３は、被写体と左眼光学系及び右眼光学系の観察範囲との関係を説明するための図であり、図４は、左眼光学系により取得され、表示部に表示される表示画像の一例を示す図であり、図５は、右眼光学系により取得され、表示部に表示される表示画像の一例を示す図である。【００３２】  左右眼の観察範囲は、左眼光学系１０Ｌ及び右眼光学系１０Ｒによりそれぞれ集光しているため視差が発生する。そのため、図３に示すように、左眼光学系１０Ｌにより取得されて表示部４に表示される範囲は、観察範囲４０ａとなり、右眼光学系１０Ｒにより取得されて表示部４に表示される範囲は、観察範囲４０ｂとなる。これらの観察範囲４０ａまたは４０ｂが表示画像として表示部４に表示される。【００３３】  すなわち、右眼光学系１０Ｒと撮像素子２２との間にメカシャッタ１４が配置されている場合、表示部４には、図４に示すように、左眼光学系１０Ｌの観察範囲４０ａの画像が表示される。【００３４】  一方、左眼光学系１０Ｌと撮像素子２２との間にメカシャッタ１４が配置されている場合、表示部４には、図５に示すように、右眼光学系１０Ｒの観察範囲４０ｂの画像が表示される。【００３５】  次に、ハレーションの検知について説明する。図６は、表示画像のエリアを分割した一例を説明するための図である。【００３６】  撮像素子２２によって撮像された撮像信号は、撮像信号線２４を介して映像信号処理部３１の輝度算出部３４に入力される��映像信号処理部３１の輝度算出部３４は、入力された撮像信号の各画素の輝度値（輝度情報）を算出する。そして、輝度算出部３４は、図６に示すように、例えば画像を５つのエリアＥ１〜Ｅ５に分割する。【００３７】  図６の例では、画像の左上がエリアＥ１、画像の右上がエリアＥ２、画像の左下がエリアＥ３、画像の右下がエリアＥ４、画像の中央がエリアＥ５に分割されている。輝度算出部３４は、このように分割された各エリアＥ１〜Ｅ５毎の平均輝度値を算出する。なお、図６の例では、画像を５つのエリアＥ１〜Ｅ５に分割しているが、分割するエリアは５つに限定されることなく、４つ以下、あるいは、６つ以上であってもよい。【００３８】  映像信号処理部３１のハレーション検知部３５は、輝度算出部３４によって算出された各エリアＥ１〜Ｅ５毎の平均輝度値を予め設定された所定の閾値と比較し、所定の閾値より高いエリアがある場合、そのエリアにおいてハレーションが発生していると判定する。一方、ハレーション検知部３５は、全てのエリアＥ１〜Ｅ５の平均輝度値が所定の閾値以下の場合、ハレーションが発生していないと判定する。ハレーション検知部３５は、ハレーションが発生しているか否かの検知結果を制御部３０に出力する。【００３９】  なお、図６の例では、画像を５つのエリアＥ１〜Ｅ５に分割し、各エリアＥ１〜Ｅ５の平均輝度値を算出してハレーションの発生を検出しているが、エリアの分割を行わずに、画像の各画素の輝度値からハレーションの発生を検出するようにしてもよい。また、ハレーションが発生していると検知された場合、画像処理でハレーションが発生している部分の明るさを抑えたり、光源制御部３３により光源部３２の光量を抑えるようにしてもよい。【００４０】  制御部３０は、ハレーション検知部３５によってハレーションが発生していないと判定された場合、左右眼の画像を切り替えることなく、そのまま観察を継続する。【００４１】  また、制御部３０は、ハレーション検知部３５によってハレーションが発生していると判定された場合、左右眼の画像を切り替えることにより、ハレーションが解消する見込みがあるかを判定する。制御部３０は、左右眼の画像を切り替えることでハレーションが解消する見込みがあると判定した場合、制御線２３を介してコイル１５への電流の供給、あるいは、電流の供給の停止を行う。これにより、制御部３０は、メカシャッタ１４の位置を切り替え、表示部４に表示させる左右眼の画像を切り替える切替処理を実行する。【００４２】  例えば、左眼光学系１０Ｌにより取得された左眼の画像で観察している際に、左側のエリアＥ１、Ｅ３でハレーションが発生している場合、制御部３０は、右眼光学系１０Ｒにより取得された右眼の画像に切り替えると、ハレーションが解消する見込みが大きいと判断する。すなわち、左眼の画像から右眼の画像に切り替えると、左側のエリアＥ１、Ｅ３で発生しているハレーションが画面のさらに左端に移動する、あるいは、画面から消えるため、観察画像の視認性が向上する。そのため、制御部３０は、ハレーションが解消する見込みが大きいと判断する。【００４３】  一方、制御部３０は、左右眼の画像を切り替えることでハレーションが解消する見込みがないと判断した場合、左右眼の画像の切り替えを行わない、あるいは、左右眼の画像の切り替えを実行するか否かをユーザに判断させる。【００４４】  例えば、左眼光学系１０Ｌにより取得された左眼の画像で観察している際に、右側のエリアＥ２、Ｅ４でハレーションが発生している場合、制御部３０は、右眼光学系１０Ｒにより取得された右眼の画像に切り替えても、ハレーションが解消する見込みが少ないと判断する。すなわち、左眼の画像から右眼の画像に切り替えると、右側のエリアＥ２、Ｅ４で発生しているハレーションが画面の中央に移動するため、観察画像の視認性が下がる。そのため、制御部３０は、ハレーションが解消する見込みが少ないと判断する。【００４５】  制御部３０は、中央のエリアＥ５でハレーションが発生している場合、発生している場所に応じて、左右眼の画像を切り替えることにより、ハレーションが解消する見込みがあるかを判定する。【００４６】  このように、制御部３０及び映像信号処理部３１は、表示部４に表示される一方の画像の輝度情報を検出するとともに、検出された輝度情報が所定の閾値よりも高い場合に、表示部４に表示する画像を一方の画像から、他方の光学像に対応する他方の画像に切り替える表示切替処理を実行する表示切替部を構成する。【００４７】  次に、左眼光学系１０Ｌ及び右眼光学系１０Ｒにより取得された左右眼の画像を切り替えて表示する際の表示例について説明する。図７は、左眼の画像を表示した際の表示部の一例を示す図であり、図８は、右眼の画像を表示した際の表示部の一例を示す図である。【００４８】  左眼光学系１０Ｌ及び右眼光学系１０Ｒにより取得された左右眼の画像は視差を有するため、左右眼の画像を切り替えた際に、図４及び図５に示すように、左右眼で共通に撮影している画像の位置が大きくずれてしまい、ユーザに違和感を与えてしまう。【００４９】  そこで、エッジ検出部３６は、左眼光学系１０Ｌ及び右眼光学系１０Ｒにより取得された左右眼の画像それぞれのエッジを検出する。【００５０】  表示制御部３７は、エッジ検出部３６により検出された左右眼の画像のエッジから左右眼の画像の共通部分を検出する。そして、表示制御部３７は、検出した左右眼の画像の共通部分を表示部４の表示領域において同じ位置に表示するように、左右眼の画像の表示位置を制御する。より好ましくは、表示制御部３７は、左右眼の画像の共通部分、すなわち、共通の被写体部位を表示部４の表示領域の中央に表示するように、左右眼の画像の表示位置を制御する。これにより、左右眼の画像を切り替えた際の違和感を抑えるようにしている。【００５１】  このように、左右眼の画像の共通部分を表示領域の中央に配置した場合、左眼の画像の右側、及び、右眼の画像の左側に被写体像がない領域存在する。そこで、表示制御部３７は、左眼の画像を表示部４に表示する場合、図７に示すように、左眼の画像の右側に黒画像５０を合成して表示部４に表示するように制御する。また、表示制御部３７は、右眼の画像を表示部４に表示する場合、図８に示すように、右眼の画像の左側に黒画像５１を合成して表示部４に表示するように制御する。【００５２】  次に、このように構成された内視鏡装置１の動作について説明する。【００５３】  まず、光路切り替え判断の処理について説明する。図９は、光路切り替え判断の処理の流れの一例を説明するためのフローチャートである。【００５４】  まず、輝度算出部３４は、現在表示している画像の各エリアの平均輝度値を算出する（ステップＳ１）。次に、ハレーション検知部３５は、算出した平均輝度値が所定の閾値より高いエリアがあるか否かを判定する（ステップＳ２）。平均輝度値が所定の閾値より高いエリアがない場合（Ｓ２：ＮＯ）、ハレーション検知部３５は、ハレーションが発生していないと判定し、左右眼の画像の表示を切り替える表示切替処理を実行せず、観察を継続する（ステップＳ３）。一方、平均輝度値が所定の閾値より高いエリアがある場合（Ｓ２：ＹＥＳ）、ハレーション検知部３５は、平均輝度値が所定の閾値より高いエリア内でハレーションが発生していると判定する（ステップＳ４）。【００５５】  なお、ハレーションが発生していると判定した場合、上述したように、画像処理や光源制御によりハレーションを抑える処理を行ってもよい。その結果、平均輝度値が所定の閾値より高いエリアがなくなった場合、表示切替処理を実行せず、観察を継続する。一方、ハレーションを抑える処理を行っても、ハレーションが発生している場合、続くステップＳ５の処理を実行する。【００５６】  次に、ハレーションが発生していると判定されると、制御部３０は、左右眼の画像を切り替えて効果があるエリアか否かを判定する（ステップＳ５）。左右眼の画像を切り替えて効果があるエリアでないと判定した場合（Ｓ５：ＮＯ）、制御部３０は、表示切替処理を実行せず、観察を継続する、あるいは、ユーザに左右眼の画像を切り替えるかを選択させる（ステップＳ６）。一方、左右眼の画像を切り替えて効果があるエリアであると判定した場合（Ｓ５：ＹＥＳ）、制御部３０は、左右眼の画像を切り替える表示切替処理を実行する（ステップＳ７）。【００５７】  次に、図９のステップＳ７の左右眼の画像を切り替える表示切替処理について説明する。図１０は、左右眼の画像を切り替える表示切替処理の流れの一例を説明するためのフローチャートである。【００５８】  まず、左右眼それぞれの画像を取得し（ステップＳ１１）、取得した左右眼の画像のそれぞれのエッジを検出する（ステップＳ１２）。検出したエッジから左右眼の画像の共通部分を検出する（ステップＳ１３）。検出した左右眼の共通部分が表示部４の画面中央に位置するように、補正画像を生成する（ステップＳ１４）。なお、ここではデフォルトとして左眼の画像を表示させようとしているため、左眼の画像について補正画像を生成することになる。次に左眼の補正画像の右側に黒画像を合成し、左眼の表示画像を生成する（ステップＳ１５）。そして、生成した左眼の表示画像を表示部４に表示する（ステップＳ１６）。【００５９】  次に、表示する画像を左眼の画像から右眼の画像に切り替えるか否かを判定する（ステップＳ１７）。左眼の画像から右眼の画像に切り替えると判定した場合（Ｓ１７：ＹＥＳ）、右眼の画像について補正画像を生成する。補正画像の生成のしかたについては、左眼の画像の補正画像の生成の仕方と同様であって、検出した左右眼の共通���分が表示部４の画面中央に位置するように、右眼の補正画像を生成する（ステップＳ１８）。そして、右眼の補正画像の左側に黒画像を合成し、右眼の表示画像を生成し（ステップＳ１９）、右眼の表示画像を表示部４に表示する（ステップＳ２０）。【００６０】  なお、左眼の画像から右眼の画像に切り替えないと判定した場合（Ｓ１５：ＮＯ）、右眼の表示画像を表示し続ける。【００６１】  以上のように、内視鏡装置１は、画像を例えば５つのエリアＥ１〜Ｅ５に分割し、ハレーションが発生しているエリアを検出する。そして、内視鏡装置１は、左右眼の画像を切り替えた際に、ハレーションを抑制する効果があるエリアか否かを検出し、効果があるエリアの場合、左右眼の画像を切り替えるようにしている。これにより、内視鏡装置１は、発生しているハレーションを表示部４の表示画面の中央から離れる方向に移動する、あるいは、表示画面から消すことができるため、ユーザにとって観察画像の視認性が高くなる。【００６２】  よって、本実施形態の内視鏡装置によれば、ハレーション発生による観察画像の視認性の低下を抑制することができる。【００６３】  また、内視鏡装置１は、左右眼の画像を切り替える際に、左右眼の画像の共通部分を表示部４の表示領域の同じ位置に表示するように、左右眼の画像の表示位置を制御することにより、左右眼の画像を切り替えた際にも観察画像の位置がずれることなくなり、左右眼の画像を切り替えた際の違和感を抑えることができる。【００６４】（第２の実施形態）  次に、第２の実施形態について説明する。第１の実施形態では、ハレーションが発生したタイミングで、効果がある場合は左右眼の画像を切り替えていたが、左右眼の画像を切り替えるタイミングは、ハレーションが発生したタイミングに限定されることはなく、他のタイミングであってもよい。【００６５】  ユーザが操作部６のフリーズボタンを押下し、フリーズ操作をした場合、その観察箇所を詳細に検査したい可能性が高い。そこで、ユーザによるフリーズ操作をトリガーにして左右眼の画像を取得し、制御部３０による表示切替処理を行う、あるいは、左眼の画像と右眼の画像のいずれの画像がユーザに適した画像であるかを選択させるようにしてもよい。【００６６】  また、映像信号処理部３１の動き検出部３８が一定の動きを検出した場合、左右眼の画像を取得し、左眼の画像と右眼の画像のいずれの画像がユーザに適した画像であるかを選択させるようにしてもよい。すなわち、動き検出部３８は、撮像信号あるいは映像信号に基づいて、被写体のぶれ量を検出し、検出したぶれ量が所定の閾値より大きい場合、制御部３０による表示切替処理を行う、あるいは、左眼の画像と右眼の画像のいずれの画像がユーザに適した画像であるかを選択させる。【００６７】  また、動き検出部３８が一定の動きを検出していない場合、左右眼の画像を取得し、左眼の画像と右眼の画像のいずれの画像がユーザに適した画像であるかを選択させるようにしてもよい。すなわち、動き検出部３８は、撮像信号あるいは映像信号に基づいて、被写体のぶれ量を検出し、検出したぶれ量が所定の閾値より小さい場合、制御部３０による表示切替処理を行う、あるいは、左眼の画像と右眼の画像のいずれの画像がユーザに適した画像であるかを選択させる。【００６８】  また、ユーザが操作部６の湾曲ロックボタンを押下し、湾曲ロック操作をした場合、その観察箇所を詳細に検査したい可能性が高い。そこで、ユーザによる湾曲ロック操作をトリガーにして左右眼の画像を取得し、制御部３０による表示切替処理を行う、あるいは、左眼の画像と右眼の画像のいずれかの画像がユーザに適した画像であるかを選択させるようにしてもよい。【００６９】  以上のように、操作部６のフリーズボタン、動き検出部３８、及び、操作部６の湾曲ロックボタンが表示切替処理のトリガー情報を出力する表示切替判断部を構成する。制御部３０は、表示切替判断部からのトリガー情報に基づいて、表示切替処理を実行する。【００７０】（第３の実施形態）  次に、第３の実施形態について説明する。【００７１】  第１の実施形態では、左右眼の画像を切り替えるタイミングで左右眼の画像の共通部分を検出し、表示画面の中央に配置していたが、左右眼の画像の共通部分を検出し、表示画面の中央に配置するタイミングは、左右眼の画像を切り替えるタイミングに限定されることなく、他のタイミングであってもよい。【００７２】  先端部１１に装着される光学アダプタ１０の種類が変更された場合、光学アダプタ１０の画角等の光学特性が変更されるため、左右眼の観察範囲が変更される。そこで、制御部３０は、先端部１１に装着される光学アダプタ１０の種類が変更された際に、表示切替処理を実行する。すなわち、制御部３０は、先端部１１に装着される光学アダプタ１０の種類が変更された際に、左右眼の画像の共通部分を検出し、表示部４の表示画面の中央に配置する。なお、光学アダプタ１０の変更の検知は、制御部３０によって行ってもよいし、ユーザが表示部４のタッチパネルを用いて入力してもよい。【００７３】  図１１は、光学アダプタの変更時の表示画像の切替処理の一例を説明するためのフローチャートである。なお、図１１において、図１０と同様の処理については、同一の符号を付して説明を省略する。【００７４】  まず、制御部３０は、光学アダプタ１０が変更されたか否かを判定する（ステップＳ２１）。光学アダプタ１０が変更されていないと判定した場合、ステップＳ２１に戻り、同様の処理を繰り返す。一方、光学アダプタ１０が変更されたと判定した場合、ステップＳ１１に進む。ステップＳ１１以降の処理は、図１０と同様である。【００７５】  以上の処理により、内視鏡装置１は、先端部１１に装着される光学アダプタ１０の種類が変更された場合でも最適な画像を表示することができる。【００７６】（第４の実施形態）  次に、第４の実施形態について説明する。【００７７】  被写体Ｓと光学アダプタ１０あるいは先端部１１との物体距離により、左右眼で共通となる観察範囲が変更される。例えば、被写体Ｓと光学アダプタ１０あるいは先端部１１との距離が近くなると、左右眼の共通する観察範囲は少なくなり、被写体Ｓと光学アダプタ１０あるいは先端部１１との距離が遠くなると、左右眼の共通する観察範囲は多くなる。【００７８】  このように、被写体Ｓと光学アダプタ１０あるいは先端部１１との距離に応じて観察範囲が変更される。そこで、物体距離が変��された際に、左右眼の画像の共通部分を検出し、表示画面の中央に配置するようにしてもよい。【００７９】  測定部としての物体距離算出部３９は、被写体Ｓと光学アダプタ１０あるいは先端部１１との物体距離を算出する。なお、被写体Ｓと光学アダプタ１０あるいは先端部１１との物体距離は、左眼光学系１０Ｌ及び右眼光学系１０Ｒから左右眼の画像を取得し、公知の三角測量の原理を用いて測定すればよい。また、物体距離を測定するタイミングは、例えば、第２の実施形態で説明した操作部６を用いたフリーズ操作、動き検出部３８による動き検出、操作部６を用いた湾曲操作等のタイミングで行う。【００８０】  制御部３０は、物体距離算出部３９により算出された物体距離が前回算出された物体距離から変わったか否かを判定し、算出された物体距離が前回算出された物体距離から変わった場合、表示切替処理を実行する。【００８１】  図１２は、物体距離による表示画像の切替処理の一例を説明するためのフローチャートである。なお、図１２において、図１０と同様の処理については、同一の符号を付して説明を省略する。【００８２】  まず、物体距離算出部３９は、物体距離測定を開始する（ステップＳ３１）。物体距離算出部３９は、左右眼それぞれの画像を取得し（ステップＳ３２）、公知の物体距離測定技術を用い、物体距離を測定する（ステップＳ３３）。【００８３】  次に、制御部３０は、前回の物体距離測定結果から物体距離が変わったか否かを判定する（ステップＳ３４）。前回の物体距離測定結果から物体距離が変わっていないと判定した場合（Ｓ３４：ＮＯ）、何も行わずに処理を終了する。一方、前回の物体距離測定結果から物体距離が変わったと判定した場合（Ｓ３４：ＹＥＳ）、ステップＳ１１に進む。ステップＳ１１以降の処理は、図１０と同様である。【００８４】  以上の処理により、内視鏡装置１は、被写体Ｓと光学アダプタ１０あるいは先端部１１との距離（物体距離）が変更された場合でも最適な画像を表示することができる。【００８５】  本発明は、上述した実施形態に限定されるものではなく、本発明の要旨を変えない範囲において、種々の変更、改変等が可能である。【００８６】  本出願は、２０１６年９月９日に日本国に出願された特願２０１６−１７６２６２号を優先権主張の基礎として出願するものであり、上記の開示内容は、本願明細書、請求の範囲に引用されるものとする。
【図１】
0006694964.tif 000002
【図２】
0006694964.tif 000003
【図３】
0006694964.tif 000004
【図４】
0006694964.tif 000005
【図５】
0006694964.tif 000006
【図６】
0006694964.tif 000007
【図７】
0006694964.tif 000008
【図８】
0006694964.tif 000009
【図９】
0006694964.tif 000010
【図１０】
0006694964.tif 000011
【図１１】
0006694964.tif 000012
【図１２】
0006694964.tif 000013